(57)【特許請求の範囲】
【請求項１】
荷物を収容する箱の内部温度を測定する子機の識別情報と、当該子機の測定情報を受信する親機を設置した車両の識別情報とを関連付けた配送情報を記憶する記憶部と、
荷物の輸送を行う車両の識別情報を受信する受信部と、
前記車両の識別情報に関連付けられた前記子機の識別情報を、前記配送情報から抽出する抽出部と、
前記抽出部が抽出した前記子機の識別情報を、前記車両に設置された親機に送信する送信部と、
を有することを特徴とする管理装置。
【請求項２】
前記受信部は、前記子機の識別情報を受信した親機から、前記測定情報を受信することを特徴とする請求項１に記載の管理装置。
【請求項３】
前記受信部が受信した測定情報に基づき、前記箱の内部温度の異常判定を行う異常判定部をさらに備えることを特徴とする請求項２に記載の管理装置。
【請求項４】
前記送信部は、前記子機の識別情報を、前記車両に設置された端末装置を介して前記親機に送信し、
前記受信部は、前記測定情報を、前記端末装置を介して前記親機から受信することを特徴とする請求項２または３に記載の管理装置。
【請求項５】
車両により輸送する荷物を収容する箱の内部温度を測定する子機と、前記子機が生成する測定情報を受信する親機と、請求項１〜４のいずれか一項に記載の管理装置と、を有する管理システムであって、
前記親機は、前記管理装置が送信した前記子機の識別情報を受信した場合に、当該子機の識別情報を、前記親機が設置された車両内に存在する子機の識別情報として登録する登録部を有することを特徴とする管理システム。
【請求項６】
前記親機は、
前記登録部が登録した前記子機の識別情報に基づき、前記測定情報を発信する子機が前記車両内に存在するか否か判定する判定部と、
前記車両内に存在すると判定された子機が発信する測定情報を、前記管理装置へ送信する測定情報送信部と、
をさらに有することを特徴とする請求項５に記載の管理システム。
【請求項７】
前記親機は、
前記登録部が登録した前記子機の識別情報のうち、前記親機が測定情報を受信していない子機の識別情報が存在する場合に、警告を出力する警告出力部をさらに有することを特徴とする請求項５または６に記載の管理システム。
【請求項８】
荷物を収容する箱の内部温度を測定する子機の識別情報と、当該子機の測定情報を受信する親機を設置した車両の識別情報とを関連付けた配送情報を記憶する記憶部を参照するコンピュータが実行するプログラムであって、
荷物の輸送を行う車両の識別情報を受信する受信部と、
前記車両の識別情報に関連付けられた前記子機の識別情報を、前記配送情報から抽出する抽出部と、
前記抽出部が抽出した前記子機の識別情報を、前記車両に設置された親機に送信する送信部
として前記コンピュータを機能させることを特徴とするプログラム。
【発明の詳細な説明】
【技術分野】
【０００１】
本発明は、輸送の対象となる収容箱の内部温度を管理するための技術に関する。
【背景技術】
【０００２】
従来から、配送する荷物の温度管理を行うための技術が知られている。例えば、特許文献１には、監視対象食品の経時的な温度変化の履歴を無線送信する履歴計と、履歴計の検出データに基づいて監視対象食品の品質状態を監視するデータ処理装置とを備えた温度監視システムが開示されている。
【先行技術文献】
【特許文献】
【０００３】
【特許文献１】特開平０９−３３０４９２号公報
【発明の概要】
【発明が解決しようとする課題】
【０００４】
荷物を断熱箱に収容し、保冷材等の温度調整材により断熱箱内の温度を個別管理するシステムでは、各断熱箱内への温度調整材の投入等を判断するため、各断熱箱の内部温度を監視する必要がある。この場合、温度検出機能を有する小型の通信機器（「子機」とも呼ぶ。）を断熱箱内に設置し、コンテナに設置した親機により子機の測定情報を収集する態様が考えられる。このようなシステムでは、荷物の積み替えと共に断熱箱も積み替えられてしまうため、荷物の積み替えの度に、子機を親機に登録する作業が必要となってしまう。そこで、本発明は、子機の親機への登録作業を好適に自動化することが可能な管理装置及び管理システムを提供することを主な目的とする。
【課題を解決するための手段】
【０００５】
本発明の１つの観点では、管理装置は、荷物を収容する箱の内部温度を測定する子機の識別情報と、当該子機の測定情報を受信する親機を設置した車両の識別情報とを関連付けた配送情報を記憶する記憶部と、荷物の輸送を行う車両の識別情報を受信する受信部と、前記車両の識別情報に関連付けられた前記子機の識別情報を、前記配送情報から抽出する抽出部と、前記抽出部が抽出した前記子機の識別情報を、前記車両に設置された親機に送信する送信部と、を有する。
【０００６】
上記管理装置は、記憶部と、受信部と、抽出部と、送信部とを有する。記憶部は、輸送する荷物を収容する箱の内部温度を測定する子機の識別情報と、当該子機の測定情報を受信する親機を設置した車両の識別情報とを関連付けた配送情報を記憶する。受信部は、荷物の輸送を行う車両の識別情報を受信する。抽出部は、受信した車両の識別情報に関連付けられた子機の識別情報を配送情報から抽出する。送信部は、抽出部が抽出した子機の識別情報を、輸送を行う車両に設置された親機に送信する。この態様により、管理装置は、車両に積み込まれた収容箱に設置された子機の識別情報を、車両内の親機に好適に通知して登録させることができる。
【０００７】
上記管理装置の一態様では、前記受信部は、前記子機の識別情報を受信した親機から、前記測定情報を受信する。この態様により、管理装置は、車両内に存在する子機が生成した測定情報を親機から好適に受信し、荷物を収容する箱の温度を監視することができる。
【０００８】
上記管理装置の他の一態様では、管理装置は、前記受信部が受信した測定情報に基づき、前記箱の内部温度の異常判定を行う異常判定部をさらに備える。この態様により、管理装置は、荷物を輸送する車両に積まれた箱の内部温度の異常を好適に判定することができる。
【０００９】
上記管理装置の他の一態様では、前記送信部は、前記子機の識別情報を、前記車両に設置された端末装置を介して前記親機に送信し、前記受信部は、前記測定情報を、前記端末装置を介して前記親機から受信する。このように、管理装置と親機とが直接通信を行わない場合であっても、管理装置は、管理装置と親機との両方と通信可能な端末装置を介することで、好適に子機の識別情報や子機の測定情報の授受を親機と行うことができる。
【００１０】
本発明の他の観点では、車両により輸送する荷物を収容する箱の内部温度を測定する子機と、前記子機が生成する測定情報を受信する親機と、上記いずれか記載の管理装置と、を有する管理システムであって、前記親機は、前記管理装置が送信した前記子機の識別情報を受信した場合に、当該子機の識別情報を、前記親機が設置された車両内に存在する子機の識別情報として登録する登録部を有する。この態様によれば、親機は、親機が設置された車両内に存在する子機の識別情報を、好適に管理装置から受信し、車両内に存在する子機の識別情報として登録することができる。
【００１１】
上記管理システムの一態様では、前記親機は、前記登録部が登録した前記子機の識別情報に基づき、前記測定情報を発信する子機が前記車両内に存在するか否か判定する判定部と、前記車両内に存在すると判定された子機が発信する測定情報を、前記管理装置へ送信する測定情報送信部と、をさらに有する。この態様により、管理システムは、荷物の輸送を行う車両に積まれた箱の内部温度の測定情報を、好適に管理装置に集約することができる。
【００１２】
上記管理システムの他の一態様では、前記親機は、前記登録部が登録した前記子機の識別情報のうち、前記通信機が測定情報を受信していない子機の識別情報が存在する場合に、警告を出力する警告出力部をさらに有する。この態様により、管理システムは、荷物を収容した箱の車両への積み忘れや箱への子機の付け忘れ等を確実に抑制することができる。
【００１３】
本発明のさらに別の観点では、荷物を収容する箱の内部温度を測定する子機の識別情報と、当該子機の測定情報を受信する親機を設置した車両の識別情報とを関連付けた配送情報を記憶する記憶部を参照するコンピュータが実行するプログラムであって、荷物の輸送を行う車両の識別情報を受信する受信部と、前記車両の識別情報に関連付けられた前記子機の識別情報を、前記配送情報から抽出する抽出部と、前記抽出部が抽出した前記子機の識別情報を、前記車両に設置された親機に送信する送信部として前記コンピュータを機能させる。コンピュータは、このプログラムを実行することで、車両に積み込まれた収容箱に設置された子機の識別情報を、車両内の親機に好適に通知して登録させることができる。
【発明の効果】
【００１４】
本発明によれば、車両に積み込まれた箱に設置された子機の識別情報を、車両内の親機に好適に通知して登録させることができる。
【図面の簡単な説明】
【００１５】
【図１】実施形態に係る温度管理システムの概略構成を示す図である。
【図２】断熱箱の構成例を示す。
【図３】端末装置のブロック図である。
【図４】親機のブロック図である。
【図５】子機のブロック図である。
【図６】サーバ装置のブロック図である。
【図７】子機管理テーブル及び配送スケジュールＤＢのデータ構造を示す。
【図８】温度管理ＤＢ及び温度蓄積ＤＢのデータ構造を示す。
【図９】本実施形態に係るフローチャートである。
【図１０】変形例に係る温度管理システムの概略構成を示す図である。
【発明を実施するための形態】
【００１６】
以下、図面を参照しながら、本発明に係る実施形態について説明する。
【００１７】
［温度管理システムの概要］
図１は、実施形態に係る温度管理システム１００の概略構成を示す図である。温度管理システム１００は、配送車両１の荷台（コンテナ）１０に積載される断熱箱５の内部温度を管理するシステムであって、図１に示すように、主に、配送車両１と、配送車両１内に存在する端末装置２と、荷台１０内に存在する親機３と、真空断熱材などの断熱材により内部空間を形成する断熱箱５と、端末装置２と通信を行うサーバ装置９とを有する。なお、荷台１０には、荷台１０内の温度調整を行う温調機が設けられていてもよい。
【００１８】
断熱箱５には、同一温度帯により保管されるべき１又は複数の荷物が収容されると共に、後述する子機７が取り付けられる。断熱箱５には、収容する荷物の劣化を防ぐために保たれるべき内部温度の帯域（「許容温度帯」とも呼ぶ。）が断熱箱５ごとに定められており、断熱箱５の内部温度を調整するための保冷材などの温度調整材８が適宜収容されている。本実施形態では、断熱箱５の内部温度が定められた許容温度帯に保たれるように、運転手による温度調整材８の追加が適宜行われる。これにより、電源を必要とすることなく、断熱箱５の内部温度が調整される。
【００１９】
端末装置２は、モバイルルータとして機能し、親機３と有線によるシリアル通信を行うと共に、サーバ装置９と無線による通信を行う。本実施形態では、端末装置２は、荷台１０に断熱箱５が積まれた後であって配送車両１の出発前に、配送車両１の情報（「車両情報Ｓａ」とも呼ぶ。）を、サーバ装置９へ送信する。車両情報Ｓａには、配送車両１に割り当てられた固有の識別情報であるトラックＩＤが含まれている。これにより、端末装置２は、荷台１０に積まれる断熱箱５の内部温度を測定する子機７を識別するための情報（「子機情報Ｓｂ」とも呼ぶ。）を、サーバ装置９から受信する。子機情報Ｓｂには、子機７に割り当てられた識別情報である子機ＩＤが含まれている。そして、端末装置２は、受信した子機情報Ｓｂを親機３へ転送する。また、端末装置２は、子機７が生成した測定情報（「測定情報Ｓｃ」とも呼ぶ。）を親機３から受信した場合に、配送車両１のトラックＩＤ及び現在位置情報等と関連付けてサーバ装置９へ転送する。
【００２０】
親機３は、荷台１０内に設置され、端末装置２とケーブル等を介して接続している。また、親機３は、断熱箱５に設置された子機７が発信する測定情報Ｓｃを受信する。親機３は、端末装置２から転送される子機情報Ｓｂに基づき、測定情報Ｓｃを発信する子機７が荷台１０内に存在するか否かの認証処理を行う。そして、親機３は、荷台１０内に存在する子機７が生成した測定情報Ｓｃを端末装置２へ送信し、荷台１０内に存在しない子機７から送信された測定情報Ｓｃを破棄する。
【００２１】
子機７は、温度を測定する機能及び通信機能を有するモジュールであり、測定情報Ｓｃを発信する。測定情報Ｓｃには、後述するように、子機７が測定した温度及び日時の情報に加え、当該子機７に対応する子機ＩＤが含まれている。
【００２２】
サーバ装置９は、配送車両１が配送する荷物の配送スケジュールの管理及び当該荷物の温度管理を行う。サーバ装置９は、端末装置２から車両情報Ｓａを受信した場合に、車両情報Ｓａが示す配送車両１に積まれる断熱箱５に収容される子機７を示す子機情報Ｓｂを端末装置２へ送信する。また、サーバ装置９は、端末装置２から受信する測定情報Ｓｃに基づき、各断熱箱５の内部温度の履歴を記憶したり、各断熱箱５の内部温度の異常の有無を監視したりする。サーバ装置９は、本発明における「管理装置」の一例である。
【００２３】
［断熱箱の構成］
図２（Ａ）、（Ｂ）は、断熱箱５の構成例を示す。なお、本発明に適用可能な断熱箱５の態様は、図２（Ａ）、（Ｂ）に示す態様に限らず、図２（Ａ）、（Ｂ）以外の任意の態様であってもよい。
【００２４】
図２（Ａ）、（Ｂ）に示す断熱箱５は、主に、天面パネル１１と、正面パネル１２Ｌ、１２Ｒと、左面パネル１３と、背面パネル１４と、右面パネル１５と、底面パネル１６と、を備える。背面パネル１４等の内部壁面には、物を収容することができる保持部１９が複数設けられている。保持部１９には、例えば子機７または温度調整材８が収容される。天面パネル１１と左面パネル１３と背面パネル１４と右面パネル１５と底面パネル１６とは、図示しない外装袋により覆われている。
【００２５】
図２（Ａ）に示すように、正面パネル１２Ｌは、左面パネル１３に対して回動可能に連結されており、正面パネル１２Ｒは、右面パネル１５に対して回動可能に連結されている。また、天面パネル１１は、２つ折りの状態にして断熱箱５を開放することができる。図２（Ｂ）の例では、天面パネル１１は、前側天面パネル１１Ｆと、後側天面パネル１１Ｒとから構成され、前側天面パネル１１Ｆが後側天面パネル１１Ｒとの連結部を軸にして外側に反転している。同様に、後側天面パネル１１Ｒは、前側天面パネル１１Ｆとの連結部を軸にして外側に反転することが可能である。なお、断熱箱５は、折り畳み自在に構成され、不使用時に折り畳まれた状態で管理されてもよい。
【００２６】
［端末装置の構成］
図３は、端末装置２のブロック図である。端末装置２は、主に、ディスプレイやランプなどの表示部２１と、入力部２２と、記憶部２３と、通信部２４と、制御部２５と、ＧＰＳ受信機２６と、スピーカなどの音出力部２７と、を備える。これらの各要素は、バスライン２０を介して相互に接続されている。
【００２７】
入力部２２は、例えばタッチパネル、ボタン、音声入力装置等であり、運転者等の入力を受け付ける。本実施形態では、入力部２２は、例えば、車両情報Ｓａの送信を指示する入力等を受け付ける。記憶部２３は、制御部２５が実行するプログラム及び制御部２５が実行する処理に必要な情報を記憶する。例えば、記憶部２３は、車両情報Ｓａとして送信する配送車両１のトラックＩＤを予め記憶する。通信部２４は、制御部２５の制御に基づき、親機３及びサーバ装置９とデータ通信を行う。ＧＰＳ受信機２６は、配送車両１の現在位置を示す位置情報を生成する。
【００２８】
制御部２５は、図示しないＣＰＵ、ＲＯＭ及びＲＡＭなどを備え、記憶部２３に記憶されたプログラムを実行することで、端末装置２内の各構成要素に対して種々の制御を行う。例えば、制御部２５は、入力部２２から所定の入力を受け付けた場合に、配送車両１のトラックＩＤを示す車両情報Ｓａを通信部２４によりサーバ装置９へ送信する。また、制御部２５は、通信部２４を制御することで、サーバ装置９から受信した子機情報Ｓｂを親機３へ転送したり、親機３から受信した測定情報Ｓｃをサーバ装置９へ転送したりする。
【００２９】
［親機の構成］
図４は、親機３のブロック図である。親機３は、主に、記憶部３３と、通信部３４と、制御部３５と、出力部３７と、を備える。これらの各要素は、バスライン３０を介して相互に接続されている。
【００３０】
記憶部３３は、制御部３５が実行するプログラム及び制御部３５が実行する処理に必要な情報を記憶する。本実施形態では、記憶部３３は、子機管理テーブル３６を記憶する。子機管理テーブル３６は、荷台１０に積み込まれる断熱箱５に設置される子機７の子機ＩＤを登録したテーブルである。通信部３４は、制御部３５の制御に基づき、端末装置２及び子機７とデータ通信を行う。出力部３７は、ディスプレイや音声出力装置などであり、本実施形態では、制御部３５の制御に基づき、所定の警告等を出力する。
【００３１】
制御部３５は、図示しないＣＰＵ、ＲＯＭ及びＲＡＭなどを備え、記憶部３３に記憶されたプログラムを実行することで、親機３内の各構成要素に対して種々の制御を行う。例えば、制御部３５は、通信部３４が端末装置２から子機情報Ｓｂを受信した場合に、子機情報Ｓｂが示す子機ＩＤを子機管理テーブル３６に登録する。また、制御部３５は、子機７から測定情報Ｓｃを受信した場合に、子機管理テーブル３６に登録されている子機７から発信される測定情報Ｓｃのみを端末装置２へ送信する。また、制御部３５は、子機管理テーブル３６に登録された子機７のうち、測定情報Ｓｃを親機３が受信していない子機７が存在する場合に、当該子機７を収容した断熱箱５が荷台１０に積まれていない旨の警告を出力部３７に出力させる。制御部３５は、本発明における「登録部」、「判定部」、「測定情報送信部」及び「警告出力部」の一例である。
【００３２】
［子機の構成］
図５は、子機７のブロック図である。子機７は、主に、温度センサ７１と、通信部７２と、記憶部７３と、制御部７５とを有する。これらの各要素は、バスライン７０を介して相互に接続されている。
【００３３】
温度センサ７１は、温度を測定し、測定した温度の情報を制御部７５へ供給する。通信部７２は、制御部７５の制御に基づき、温度センサ７１が測定した温度情報を含む測定情報Ｓｃを端末装置２へ送信する。
【００３４】
記憶部７３は、制御部７５が実行するプログラム及び制御部７５が実行する処理に必要な情報を記憶する。本実施形態では、記憶部７３は、子機７の子機ＩＤ等を予め記憶する。
【００３５】
制御部７５は、図示しないＣＰＵ、ＲＯＭ及びＲＡＭなどを備え、ＲＯＭ等に記憶されたプログラムを実行することで、子機７の全体を制御する。本実施形態では、制御部７５は、温度センサ７１が生成した温度情報と、日時情報と、記憶部７３に記憶した子機ＩＤとを含む測定情報Ｓｃを、通信部７２により発信する。
【００３６】
［サーバ装置の構成］
図６は、サーバ装置９のブロック図である。図６に示すように、サーバ装置９は、主に、記憶部９３と、通信部９４と、制御部９５とを有する。
【００３７】
記憶部９３は、制御部９５が実行するプログラム及び制御部９５が実行する処理に必要な情報を記憶する。本実施形態では、記憶部９３は、配送する荷物の配送スケジュールに関する情報を記録した配送スケジュールＤＢ９６と、配送する断熱箱５の許容温度帯を記録した温度管理ＤＢ９７と、測定した温度の履歴を記録した温度蓄積ＤＢ９８とを備える。配送スケジュールＤＢ９６と、温度管理ＤＢ９７と、温度蓄積ＤＢ９８のデータ構造の具体例については後述する。通信部９４は、制御部９５の制御に基づき、端末装置２とデータ通信を行う。
【００３８】
制御部９５は、図示しないＣＰＵ、ＲＯＭ及びＲＡＭなどを備え、ＲＯＭや記憶部９３等に記憶されたプログラムを実行することで、サーバ装置９の全体を制御する。例えば、制御部９５は、端末装置２から車両情報Ｓａを受信した場合に、配送スケジュールＤＢ９６を参照し、車両情報Ｓａが示すトラックＩＤに対応する子機ＩＤを含む子機情報Ｓｂを生成し、端末装置２へ通信部９４により送信する。また、制御部９５は、端末装置２から通信部９４が測定情報Ｓｃを受信した場合に、当該測定情報Ｓｃにより温度蓄積ＤＢ９８を更新すると共に、温度管理ＤＢ９７を参照して温度異常の有無を判定する。制御部９５は、本発明における「受信部」、「抽出部」、「送信部」、「異常判定部」、及びプログラムを実行する「コンピュータ」の一例である。
【００３９】
［データ構造］
次に、図７及び図８を参照して子機管理テーブル３６及び各データベースのデータ構造について説明する。
【００４０】
図７（Ａ）は、子機管理テーブル３６のデータ構造の一例である。図７（Ａ）に示す子機管理テーブル３６は、「子機ＩＤ」の項目と「状態」の項目とを有する。「子機ＩＤ」の項目には、親機３が受信した子機情報Ｓｂに含まれる子機ＩＤが登録される。「状態」の項目には、対応する子機ＩＤを含む測定情報Ｓｃを親機３が既に受信しており、対象の子機７の存在を親機３が確認できた状態を示す「確認済」と、対応する子機ＩＤを含む測定情報Ｓｃを親機３が受信しておらず、対象の子機７の存在を親機３が確認できてない状態を示す「未確認」とのいずれかが記録されている。親機３は、例えば、項目「状態」が所定時間以上「未確認」となっている子機ＩＤが存在する場合に、当該子機ＩＤに対応する子機７が荷台１０に存在しない旨の警告等を出力する。
【００４１】
図７（Ｂ）は、配送スケジュールＤＢ９６のデータ構造の一例である。図７（Ｂ）に示す配送スケジュールＤＢ９６は、「荷物ＩＤ」、「トラックＩＤ」、「箱ＩＤ」、「子機ＩＤ」、「配送予定日時」、及び「配送場所」の各項目を有する。
【００４２】
「荷物ＩＤ」の項目には、輸送対象の荷物の識別情報である荷物ＩＤが記録される。「トラックＩＤ」の項目には、対応する荷物ＩＤの荷物を輸送する車両のトラックＩＤが記録される。「箱ＩＤ」の項目には、対応する荷物ＩＤの荷物が収容される断熱箱５の識別情報である箱ＩＤが記録される。「子機ＩＤ」の項目には、対応する箱ＩＤが示す断熱箱５に設置される子機７の子機ＩＤが記録される。「配送予定日時」の項目には、対応する荷物ＩＤの荷物の配送が完了する予定日時が記録される。「配送場所」の項目には、対応する荷物ＩＤの荷物の配送先の住所が記録される。なお、配送スケジュールＤＢ９６は、複数のデータベースに細分化されていてもよい。例えば、配送スケジュールＤＢ９６は、荷物ＩＤとトラックＩＤと箱ＩＤと子機ＩＤとを対応付けたデータベースと、荷物ＩＤと、配送予定日時と、配送場所とを対応付けたデータベースとから構成されてもよい。配送スケジュールＤＢ９６は、本発明における「配送情報」の一例である。
【００４３】
図８（Ａ）は、温度管理ＤＢ９７のデータ構造の一例である。図８（Ａ）に示す温度管理ＤＢ９７は、「箱ＩＤ」の項目と、「許容温度帯」の項目とを有する。「箱ＩＤ」の項目には、輸送対象となる荷物が収容される各断熱箱５の箱ＩＤが記録される。「許容温度帯」の項目には、対応する箱ＩＤが示す断熱箱５に収容される荷物の許容温度帯が記録されている。
【００４４】
ここで、温度管理ＤＢ９７を参照した断熱箱５の内部温度の異常判定の具体例について補足説明する。例えば、サーバ装置９は、端末装置２から測定情報Ｓｃを受信した場合に、測定情報Ｓｃに含まれる子機ＩＤに対応する箱ＩＤを図７（Ｂ）に示す配送スケジュールＤＢ９６等を参照して特定し、特定した箱ＩＤに対応する許容温度帯を図８（Ａ）に示す温度管理ＤＢ９７から抽出する。そして、サーバ装置９は、温度管理ＤＢ９７から抽出した許容温度帯と、対象の測定情報Ｓｃに含まれる温度情報が示す温度とを比較することで、特定した箱ＩＤが示す断熱箱５の内部温度の異常の有無を判定する。
【００４５】
図８（Ｂ）は、温度蓄積ＤＢ９８のデータ構造の一例である。図８（Ｂ）に示す温度蓄積ＤＢ９８は、「箱ＩＤ」、「温度」、「日時」、及び「位置」の各項目を有する。サーバ装置９は、測定情報Ｓｃごとに、温度蓄積ＤＢ９８のレコードを生成する。
【００４６】
「箱ＩＤ」の項目には、端末装置２から受信する測定情報Ｓｃに含まれる子機ＩＤに対応する箱ＩＤが記録される。「温度」の項目には、対象となる測定情報Ｓｃに含まれる温度情報が示す温度が記録される。「日時」の項目には、対象となる測定情報Ｓｃに含まれる日時情報が示す日時が記録される。「位置」の項目には、対象となる測定情報Ｓｃと共に端末装置２から送信された配送車両１の位置情報に基づく緯度経度が記録される。
【００４７】
［処理フロー］
図９は、本実施形態における温度管理システム１００の処理手順を示すフローチャートである。
【００４８】
端末装置２は、所定のタイミングにおいて、配送車両１のトラックＩＤを含む車両情報Ｓａをサーバ装置９に送信する（ステップＳ１０１）。例えば、端末装置２は、所定のユーザ入力を入力部２２により検知した場合に、荷台１０内の荷物の温度管理を開始すべきと判断し、予め記憶部２３に記憶したトラックＩＤを含む車両情報Ｓａをサーバ装置９へ送信する。
【００４９】
サーバ装置９は、車両情報Ｓａを端末装置２から受信した場合に、配送スケジュールＤＢ９６を参照し、車両情報Ｓａに含まれるトラックＩＤと関連付けられている全ての子機ＩＤを検索する（ステップＳ１０２）。これにより、サーバ装置９は、配送車両１に積まれた断熱箱５に設置された子機７の子機ＩＤを特定する。
【００５０】
そして、サーバ装置９は、ステップＳ１０２で検索した子機ＩＤを含む子機情報Ｓｂを端末装置２へ送信する（ステップＳ１０３）。端末装置２は、サーバ装置９から子機情報Ｓｂを受信した場合、当該子機情報Ｓｂを親機３へ転送する（ステップＳ１０４）。
【００５１】
子機情報Ｓｂを受信した親機３は、子機情報Ｓｂに含まれる子機ＩＤを子機管理テーブル３６に登録する（ステップＳ１０５）。なお、図７（Ａ）に示す子機管理テーブル３６に登録された子機ＩＤに対応する「状態」の項目は、「未確認」に初期設定される。
【００５２】
その後、親機３は、子機７から測定情報Ｓｃを受信した場合に、当該測定情報Ｓｃが子機管理テーブル３６に登録済の子機７から送信されたか否か判定する（ステップＳ１０６）。具体的には、親機３は、受信した測定情報Ｓｃに含まれる子機ＩＤが子機管理テーブル３６に登録されているか否か判定する。そして、親機３は、子機管理テーブル３６に登録済の子機７から測定情報Ｓｃを受信したと判断した場合（ステップＳ１０６；Ｙｅｓ）、受信した測定情報Ｓｃを端末装置２へ送信する（ステップＳ１０７）。また、親機３は、測定情報Ｓｃの送信元の子機７の子機ＩＤに対応する子機管理テーブル３６の項目「状態」を、「確認済」に設定する。
【００５３】
一方、親機３は、子機管理テーブル３６に未登録の子機７から測定情報Ｓｃを受信したと判断した場合（ステップＳ１０６；Ｎｏ）、当該測定情報Ｓｃを端末装置２へ送信することなく破棄する。これにより、親機３は、他の配送車両に積まれた断熱箱５の内部温度を測定する子機７から測定情報Ｓｃを受信した場合であっても、当該測定情報Ｓｃを不要にサーバ装置９に送信するのを防ぐことができる。
【００５４】
ステップＳ１０７により親機３が測定情報Ｓｃを端末装置２に送信した後、端末装置２は、親機３から受信した測定情報Ｓｃをサーバ装置９へ転送する（ステップＳ１０９）。この場合、端末装置２は、測定情報ＳｃにＧＰＳ受信機２６が出力する配送車両１の位置情報等を付加して送信する。なお、端末装置２は、親機３から受信した測定情報Ｓｃを即時にサーバ装置９に送信してもよく、送信すべき測定情報Ｓｃを一時的に蓄積し、所定時間間隔又は所定のタイミングによりサーバ装置９へ送信してもよい。
【００５５】
サーバ装置９は、端末装置２から測定情報Ｓｃを受信した場合、当該測定情報Ｓｃに基づき温度蓄積ＤＢ９８を更新すると共に、温度管理ＤＢ９７を参照し、許容温度帯から外れた断熱箱５が存在しないか否かの異常温度判定を行う（ステップＳ１１０）。そして、サーバ装置９は、温度管理ＤＢ９７に規定された許容温度帯から外れる断熱箱５が存在すると判定した場合、当該判定結果を記憶したり、温度異常があった断熱箱５に温度調整材８を投入すべき旨の警告情報を端末装置２へ送信することで端末装置２に警告を出力させたりする。なお、サーバ装置９とは別に各配送車両１の状態を管理する管理者が使用する端末が存在する場合、サーバ装置９は、警告が必要と判断した場合に、上述の端末へのメール配信などをさらに行ってもよい。
【００５６】
ステップＳ１０８では、親機３は、荷台１０に積まれた荷物の配送が完了したか否か判定する（ステップＳ１０８）。一般に、配送場所に到着して荷物と共に断熱箱５が荷台１０から出されて配送車両１から離れた場合、当該断熱箱５に収容された子機７が発信する測定情報Ｓｃを親機３が受信できなくなる。従って、例えば、親機３は、子機管理テーブル３６に登録された各子機７から測定情報Ｓｃを受信しているか否かを監視し、これらの全ての子機７から測定情報Ｓｃを受信できなくなった場合に、配送が完了したと判断する。他の例では、親機３は、測定情報Ｓｃの送信処理の終了を指示する旨のユーザ入力又は端末装置２からの所定の指示信号を検知した場合に、配送が完了したと判断してもよい。そして、親機３は、配送が完了したと判断した場合（ステップＳ１０８；Ｙｅｓ）、フローチャートの処理を終了する。一方、親機３は、配送が完了していないと判断した場合（ステップＳ１０８；Ｎｏ）、ステップＳ１０６へ処理を戻し、引き続き測定情報Ｓｃの端末装置２への転送処理を行う。
【００５７】
好適には、親機３は、ステップＳ１０５での子機管理テーブル３６の登録処理の実行後から所定時間経過しても項目「状態」が「未確認」となっている子機ＩＤが存在する場合、当該子機ＩＤの子機７が存在しない旨の警告を出力するとよい。この場合、親機３は、項目「状態」が「未確認」となっている子機ＩＤ等を含む警告の指示情報を端末装置２に送信し、端末装置２に警告を出力させてもよい。これにより、断熱箱５の配送車両１への積み忘れ又は断熱箱５への子機７の付け忘れ等を確実に抑制することができる。
【００５８】
［本実施形態の作用・効果］
本実施形態によれば、サーバ装置９は、荷物の配送スケジュールに従い子機ＩＤ及びトラックＩＤ等を予め対応付けた配送スケジュールＤＢ９６を記憶し、車両情報Ｓａが示すトラックＩＤに対応付けられた子機ＩＤを、端末装置２を介して親機３に送信する。これにより、親機３は、子機管理テーブル３６を好適に生成することができ、荷台１０に積まれる子機７の親機３への登録作業を手動で行う必要がなくなる。従って、荷物の配送車両１への積込み作業の時間短縮、子機７の親機３への登録作業の誤操作防止、及び作業員の作業量の削減等を好適に実現することができる。
【００５９】
また、一般に、断熱箱５を積んだ他の配送車両と接近した場合には、他の配送車両に積まれた断熱箱５の内部温度を測定する子機７から測定情報Ｓｃを親機３が受信することが生じる。この場合であっても、親機３は、子機管理テーブル３６を参照することで、当該親機３が搭載された配送車両１に積まれた断熱箱５の内部温度を示す子機情報Ｓｂのみを好適にサーバ装置９に送信することができる。
【００６０】
［変形例］
以下では、上記した実施形態の変形例について説明する。なお、下記の変形例は、任意に組み合わせて実施形態に適用することができる。
【００６１】
（変形例１）
図１に示す温度管理システム１００は、一例であり、本発明が適用可能な構成は、これに限定されない。
【００６２】
図１０は、変形例に係る温度管理システム１００Ａの構成を示す。図１０に示す温度管理システム１００Ａでは、親機３Ａは、図１に示す温度管理システム１００の端末装置２の機能を含み、端末装置２を介すことなくサーバ装置９と通信を行う。
【００６３】
この場合、親機３Ａは、配送車両１のトラックＩＤを予め記憶しておき、断熱箱５の荷台１０への積み込み後の所定のタイミングで車両情報Ｓａをサーバ装置９に送信することで、サーバ装置９から子機情報Ｓｂを受信する。そして、親機３Ａは、上述した実施形態と同様に、受信した子機情報Ｓｂから子機管理テーブル３６を生成し、子機管理テーブル３６を参照して、子機７から受信した測定情報Ｓｃをサーバ装置９に転送するか否か判定する。
【００６４】
この態様であっても、親機３Ａは、荷台１０に積まれる予定の断熱箱５に収容された子機７から受信した測定情報Ｓｃのみを、好適にサーバ装置９へ送信することができる。
【００６５】
また、サーバ装置９は、ネットワークを介して接続する複数の端末から構成されてもよい。この場合、各端末は、予め割り当てられた処理を実行するのに必要な情報の授受を、他の端末と行う。例えば、サーバ装置９は、配送スケジュールＤＢ９６、温度管理ＤＢ９７及び温度蓄積ＤＢ９８を記憶する端末と、実施形態に係る制御部９５の処理を実行する端末とから構成されてもよい。他の例では、サーバ装置９は、端末装置２から車両情報Ｓａを受信して子機情報Ｓｂを送信する端末と、端末装置２から測定情報Ｓｃを受信して温度蓄積ＤＢ９８の更新及び温度管理ＤＢ９７に基づく異常温度判定を行う端末とから構成されてもよい。
【００６６】
（変形例２）
図９のフローチャートでは、親機３は、測定情報Ｓｃを受信する度に子機管理テーブル３６を参照して当該測定情報Ｓｃを端末装置２へ送信すべきか否か判定した。これに代えて、親機３は、子機７とコネクション型通信を行う場合には、子機管理テーブル３６に登録されている子機７とコネクションを確立し、コネクションを確立した子機７から測定情報Ｓｃを受信して端末装置２に転送してもよい。この場合、子機７は、子機ＩＤを含む通信確立要求を親機３へ送信し、親機３は、通信確立要求に含まれる子機ＩＤが子機管理テーブル３６に登録されている場合に限り、当該子機７とのコネクションを確立する。この態様によれば、親機３は、測定情報Ｓｃを受信する度に測定情報Ｓｃの送信元である子機７の認証処理を行う必要がない。
【符号の説明】
【００６７】
１  配送車両
２  端末装置
３  親機
５  断熱箱
７  子機
８  温度調整材
９  サーバ装置
１００、１００Ａ  温度管理システム
【図１】
0006740663.tif 000002
【図２】
0006740663.tif 000003
【図３】
0006740663.tif 000004
【図４】
0006740663.tif 000005
【図５】
0006740663.tif 000006
【図６】
0006740663.tif 000007
【図７】
0006740663.tif 000008
【図８】
0006740663.tif 000009
【図９】
0006740663.tif 000010
【図１０】
0006740663.tif 000011